(57)【特許請求の範囲】
【請求項１】
圧縮機，四方弁，室外熱交換器，膨張弁および室内熱交換器を冷媒配管を介して接続してなる冷媒循環回路を有し、室外機側に上記圧縮機，上記四方弁，上記室外熱交換器および上記膨張弁が含まれ、室内機側に上記室内熱交換器を備え、上記室外機と上記室内機とが、第１接続弁を含む液側配管および第２接続弁を含むガス側配管を介して分離可能に接続されている空気調和機の冷媒回収方法において、
上記液側配管の第１接続弁を閉鎖し、冷房サイクルでのポンプダウン運転により、上記冷媒循環回路内の冷媒を上記室外機内に回収したのち、上記ポンプダウン運転で上記室外機内に回収仕切れない冷媒が存在する場合は外部の冷媒回収手段により回収するにあたって、
上記圧縮機の高圧側配管と低圧側配管との間に接続された第１電磁弁を含むバイパス配管と、上記室外熱交換器と上記膨張弁との間の配管部位から第２電磁弁を介して引き出され上記冷媒回収手段が接続される冷媒回収ポートとを備え、
外気温に応じて上記ポンプダウン運転時における上記室外機内に回収される冷媒の目標高圧を設定し、上記第１および第２電磁弁を閉鎖して、上記高圧側配管の高圧圧力センサの検出圧力が上記目標高圧となるように上記室外熱交換器の室外機ファンを制御しながら、上記ポンプダウン運転を行い、
上記ポンプダウン運転により、上記低圧側配管の低圧圧力センサによる検出圧力が０Ｍｐａになったら、上記ガス側配管の第２接続弁を閉鎖し、
上記ポンプダウン運転を所定時間行っても上記低圧側配管の低圧圧力センサによる検出圧力が０Ｍｐａにならない場合には、上記第１および第２電磁弁を開にして、上記冷媒回収手段により冷媒を回収しながら上記ポンプダウン運転を行うことを特徴とする空気調和機の冷媒回収方法。
【請求項２】
上記冷媒回収手段により冷媒を回収しながら行う上記ポンプダウン運転を所定時間継続しても、上記低圧圧力センサによる検出圧力が０Ｍｐａにならない場合、もしくは上記冷媒回収手段により冷媒を回収しながら行う上記ポンプダウン運転時に、上記高圧圧力センサの検出圧力が低下した場合には、上記第１および第２電磁弁をともに一旦閉鎖し、再度、上記第１電磁弁および上記第２電磁弁をともに開にして冷媒の回収を繰り返すことを特徴とする請求項１に記載の空気調和機の冷媒回収方法。
【請求項３】
上記冷媒回収手段により冷媒を回収しながら行う上記ポンプダウン運転時に、上記高圧圧力センサの検出圧力が低下しても、上記室外機ファンによる圧力制御は行わないことを特徴とする請求項２に記載の空気調和機の冷媒回収方法。
【請求項４】
上記ポンプダウン運転の開始前に、上記低圧側配管の温度ＴＡと上記低圧側配管の圧力から換算される温度ＴＢとの温度差（ＴＡ−ＴＢ）、または上記低圧側配管の温度ＴＡと上記室内熱交換器の配管温度ＴＣとの温度差（ＴＡ−ＴＣ）のいずれかに基づいて、上記圧縮機の吸入過熱度を監視し、上記吸入過熱度が目標過熱度となるように上記膨張弁の開度を制御することを特徴とする請求項１ないし３のいずれか１項に記載の空気調和機の冷媒回収方法。
【発明の詳細な説明】
【技術分野】
【０００１】
本発明は、ポンプダウンにより室外機内に冷媒を回収する空気調和機の冷媒回収方法に関し、さらに詳しく言えば、ビル用マルチエアコンや多室マルチエアコン等の大規模空気調和機に好適な冷媒回収方法に関するものである。
【背景技術】
【０００２】
例えば、建物の改修や改築を行うに伴って、その建物に設置されている空気調和機を取り外したり移設する場合、空気調和機の冷媒循環回路に含まれている冷媒を回収する必要がある。
【０００３】
冷媒を回収する方法の一つとして、ポンプダウンにより室外機内に冷媒を回収する方法（例えば、特許文献１参照）が知られているが、ビル用マルチエアコンや多室マルチエアコン等の大規模空気調和機で、冷媒循環回路内の総冷媒量が室外機に溜め込める量を大幅に上回っている場合には、通常、ポンプダウンせずに冷媒回収機で冷媒を回収するようにしている。これとは別に、冷媒回収機で冷媒を回収する際に全量を回収しないで、冷媒回収機で回収した残りをポンプダウンする方法もある。
【先行技術文献】
【特許文献】
【０００４】
【特許文献１】特開２０００−１９９６６０号公報
【発明の概要】
【発明が解決しようとする課題】
【０００５】
しかしながら、ポンプダウンを行わずに冷媒回収機で全冷媒を回収する方法では、冷媒に冷凍機油が溶け込んでいる場合、冷媒とともに冷凍機油も回収されてしまうという問題や、再設置時には総冷媒量を再度充填しなければならないので、その冷媒充填に時間がかかるだけでなく、大量の冷媒が必要となる等の問題がある。
【０００６】
別の方法として、ポンプダウンする前に冷媒回収機で所定量の冷媒を回収してから、ポンプダウンする方法では、残された冷媒量が少ない冷媒不足の場合には、冷房運転する際に圧縮機が過熱気味になり、冷媒配管内の冷凍機油が圧縮機に多く戻ってこないことがある。また、圧縮機温度が異常に上昇すると保護機能が動作し、冷媒回収に必要な運転時間が確保できなくなるおそれがある。
【０００７】
これに対して、残された冷媒量が多い場合には、室外熱交換器の圧力を下げることにより、より多くの冷媒をポンプダウンすることは可能であるが、外気温が低い場合に、この操作を行うと、配管を外した後に室外機の周囲温度が上昇した場合、室外機内の圧力が上昇し危険な状態になることがある。
【０００８】
したがって、本発明の課題は、室外機に対して、その冷媒収容容量に見合った量の冷媒をポンプダウンにより回収し、ポンプダウンにより回収しきれない冷媒については冷媒回収手段で回収することにより、外気温の上昇に対して安全であるとともに、なるべく多くの冷媒を再利用できるようにすることにある。
【課題を解決するための手段】
【０００９】
上記課題を解決するため、請求項１に係る発明は、圧縮機，四方弁，室外熱交換器，膨張弁および室内熱交換器を冷媒配管を介して接続してなる冷媒循環回路を有し、室外機側に上記圧縮機，上記四方弁，上記室外熱交換器および上記膨張弁が含まれ、室内機側に上記室内熱交換器を備え、上記室外機と上記室内機とが、第１接続弁を含む液側配管および第２接続弁を含むガス側配管を介して分離可能に接続されている空気調和機の冷媒回収方法において、
上記液側配管の第１接続弁を閉鎖し、冷房サイクルでのポンプダウン運転により、上記冷媒循環回路内の冷媒を上記室外機内に回収したのち、上記ポンプダウン運転で上記室外機内に回収仕切れない冷媒が存在する場合は外部の冷媒回収手段により回収するにあたって、上記圧縮機の高圧側配管と低圧側配管との間に接続された第１電磁弁を含むバイパス配管と、上記室外熱交換器と上記膨張弁との間の配管部位から第２電磁弁を介して引き出され上記冷媒回収手段が接続される冷媒回収ポートとを備え、
外気温に応じて上記ポンプダウン運転時における上記室外機内に回収される冷媒の目標高圧を設定し、上記第１および第２電磁弁を閉鎖して、上記高圧側配管の高圧圧力センサの検出圧力が上記目標高圧となるように上記室外熱交換器の室外機ファンを制御しながら、上記ポンプダウン運転を行い、
上記ポンプダウン運転により、上記低圧側配管の低圧圧力センサによる検出圧力が０Ｍｐａになったら、上記ガス側配管の第２接続弁を閉鎖し、
上記ポンプダウン運転を所定時間行っても上記低圧側配管の低圧圧力センサによる検出圧力が０Ｍｐａにならない場合には、上記第１および第２電磁弁を開にして、上記冷媒回収手段により冷媒を回収しながら上記ポンプダウン運転を行うことを特徴としている。
【００１３】
請求項２に係る発明は、上記請求項１において、上記冷媒回収手段により冷媒を回収しながら行う上記ポンプダウン運転を所定時間継続しても、上記低圧圧力センサによる検出圧力が０Ｍｐａにならない場合、もしくは上記冷媒回収手段により冷媒を回収しながら行う上記ポンプダウン運転時に、上記高圧圧力センサの検出圧力が低下した場合には、上記第１および第２電磁弁をともに一旦閉鎖し、再度、上記第１電磁弁および上記第２電磁弁をともに開にして冷媒の回収を繰り返すことを特徴としている。
【００１４】
請求項３に係る発明は、上記請求項２において、上記冷媒回収手段により冷媒を回収しながら行う上記ポンプダウン運転時に、上記高圧圧力センサの検出圧力が低下しても、上記室外機ファンによる圧力制御は行わないことを特徴としている。
【００１５】
請求項４に係る発明は、上記請求項１ないし３のいずれか１項において、上記ポンプダウン運転の開始前に、上記低圧側配管の温度ＴＡと上記低圧側配管の圧力から換算される温度ＴＢとの温度差（ＴＡ−ＴＢ）、または上記低圧側配管の温度ＴＡと上記室内熱交換器の配管温度ＴＣとの温度差（ＴＡ−ＴＣ）のいずれかに基づいて、上記圧縮機の吸入過熱度を監視し、上記吸入過熱度が目標過熱度となるように上記膨張弁の開度を制御することを特徴としている。
【発明の効果】
【００１６】
本発明によれば、冷媒循環回路内の冷媒を回収するにあたって、まず、ポンプダウン運転を行って冷媒循環回路内の冷媒を室外機内に回収したのち、ポンプダウン運転で室内機内に回収仕切れない冷媒を外部の冷媒回収手段により回収するようにしたことにより、室外機内に、その冷媒収容容量に見合った量の冷媒を回収（封入）することができる。
【００１７】
その際、外気温度センサより得られる外気温に応じて、ポンプダウン運転時における室外機内に回収される冷媒の目標高圧を設定し、高圧配管側の第１圧力センサの検出圧力が目標高圧となるように、室外熱交換器の室外機ファンを制御しながら、ポンプダウン運転を行うことにより、外気温に見合った圧力で室外機内に適量の冷媒が回収（封入）されるため、室外機への冷媒のポンプダウン後において、周囲温度である外気温が上昇したとしても、危険がなく安全であるとともに、なるべく多くの冷媒を再利用することができる。
【００１８】
また、ポンプダウンにより室外機内に冷媒を回収しきれない場合（低圧配管側が０Ｍｐａにならない場合）には、第２電磁弁を開にして冷媒回収ポートに接続されている冷媒回収手段で冷媒を回収しつつ、バイパス配管側の第１電磁弁を開にするようにしたことにより、圧縮機の正常運転が確保され、室外機に回収可能な分だけの適量の冷媒をポンプダウンすることができる。
【００１９】
さらには、ポンプダウン運転の開始前に、低圧側配管の温度と低圧側配管の低圧圧力から換算される温度との温度差と、室内熱交換器（蒸発器）の配管温度とに基づいて、圧縮機の吸入過熱度を監視し、吸入過熱度が目標過熱度となるように、膨張弁の開度を制御するようにしたことにより、圧縮機への液バックを防止することができる。
【図面の簡単な説明】
【００２０】
【図１】本発明を実施するための構成を備えた空気調和機を示す模式図。
【図２】ポンプダウン運転における外気温と目標高圧との関係を示すグラフ。
【図３】本発明の基本的な動作を示す概略的なフローチャート。
【発明を実施するための形態】
【００２１】
次に、図１ないし図３により、本発明の実施形態について説明するが、本発明はこれに限定されるものではない。
【００２２】
図１に示すように、この実施形態に係る空気調和機は、室外機１００および室内機２００の各液側配管１０１、２０１と各ガス側配管１０２、２０２とを、それぞれ、液側接続弁ＬＶ，ガス側接続弁ＧＶを介して分離可能に接続してなる空気調和機であり、ビル用マルチエアコン等の場合には、室外機１００に対して複数台の室内機２００が並列的に接続される。
【００２３】
室外機１００は、基本的な構成として、圧縮機１１０、四方弁１２０、室外熱交換器１３０、室外機ファン１３１、膨張弁１４０およびアキュムレータ１５０を備えている。室外熱交換器１３０は、暖房運転時には蒸発器として作用し、冷房運転時には凝縮器として作用する。
【００２４】
また、室外機１００は、冷媒回収ポート１６０を備えている。この実施形態において、冷媒回収ポート１６０は、電磁弁１６１（第２電磁弁）を含む冷媒回収管１６２を介して室外熱交換器１３０と膨張弁１４０との間の配管部位に接続されている。
【００２５】
冷媒回収ポート１６０には、冷媒回収手段３００が接続される。この実施形態では、冷媒回収手段３００は、冷媒回収機３１０と冷媒回収ボンベ３２０とを有し、冷媒回収ボンベ３２０は量り３２１の上に載せられている。
【００２６】
なお、冷媒回収手段３００は、冷媒回収ボンベ３２０のみを備えている構成であってもよい。すなわち、室外機１００の高圧側から冷媒を回収するため、ポンプ的な冷媒回収機３１０を用いることなく、冷媒回収ボンベ３２０を空きボンベとして、冷媒回収ポート１６０に接続するだけで、冷媒回収ボンベ３２０に冷媒を回収することができるからである。
【００２７】
圧縮機１１０の冷媒吐出側である高圧側配管１１１と、圧縮機１１０の冷媒吸入側である低圧側配管１１２との間には、電磁弁１１３（第１電磁弁）を含むバイパス配管１１４が接続されている。
【００２８】
室外機１００のセンサ類としては、外気温を検出する外気温度センサ１７１、低圧側配管１１２の配管温度を検出する低圧配管温度センサ１７２、高圧側配管１１１の圧力を検出する高圧圧力センサ１７３および低圧側配管１１２の圧力を検出する低圧圧力センサ１７４がある。これら各センサの検出信号は、制御部１８０に与えられる。
【００２９】
室内機２００は、室内熱交換器２１０と、その室内ファン２１１を備える。室内熱交換器２１０は、室外熱交換器１３０とは逆に、暖房運転時には凝縮器として作用し、冷房運転時には蒸発器として作用する。
【００３０】
室内熱交換器２１０には、その配管温度を検出する配管温度センサ２１２が設けられている。この配管温度センサ２１２は、室内熱交換器２１０内に引き回されている配管（パス）の中央部分に配置されることが好ましい。この室内熱交換器２１０の配管温度センサ２１２の検出温度信号も制御部１８０に与えられる。
【００３１】
例えば、建物の改修や改築等に伴って空気調和機を移設する場合、冷媒循環回路内の冷媒を回収することになるが、本発明では、図３のフローチャートに示すように、まず、ポンプダウン運転を行って、冷媒循環回路内の冷媒を極力室外機１００内に回収し、室外機１００の冷媒収容容量との関係で、室外機１００内に回収しきれない冷媒については、外部の冷媒回収手段３００で回収する。
【００３２】
ポンプダウン運転は、室外熱交換器１３０を凝縮器、室内熱交換器２１０を蒸発器とする冷房サイクルで行う。このポンプダウン運転は、液側接続弁ＬＶが閉じられ、ガス側接続弁ＧＶが開かれた状態で行われ、制御部１８０は、膨張弁１４０を全開、電磁弁１１３、１６１を閉鎖して、室外機ファン１３１の回転数を制御する。
【００３３】
ポンプダウン運転中は、ポンプダウン専用の目標高圧を、外気温度センサ１７１にて検出された外気温から算出し、高圧圧力センサ１７３の検出値が目標高圧となるように、室外機ファン１３１の回転数を制御する。
【００３４】
図２のグラフに外気温と目標高圧との関係を示す。目標高圧は、室外機１００に封入可能な冷媒量（主に、室外熱交換器１３０の冷媒収容容量）と、外気温と、冷媒特性等からあらかじめ算出した圧力値であり、これを制御部１８０に記憶させておく。
【００３５】
このように、高圧圧力センサ１７３の検出値が目標高圧となるように室外機ファン１３１の回転数を制御するのは、室外機ファン１３１を回しすぎると、圧力が下がって室外機１００内により多くの冷媒が過剰に封入され、ポンプダウン終了後に外気温が上昇し、これに伴って冷媒が気化し、室外機１００内が高圧となる危険性を回避するためである。
【００３６】
次に、図３のフローチャートを参照しながら、本発明の動作について説明する。
【００３７】
〔ポンプダウン運転前に行う冷房運転〕
ポンプダウン運転を開始する前には、ステップＳＴ１として、低圧配管温度センサ１７２により検出される低圧側配管の温度ＴＡと低圧圧力センサ１７４により検出される低圧側配管の圧力から換算される温度ＴＢとの温度差（ＴＡ−ＴＢ）、または低圧側配管の温度ＴＡと室内熱交換器２１０の配管温度センサ２１２により検出される配管温度ＴＣとの温度差（ＴＡ−ＴＣ）のいずれかに基づき、圧縮機１１０の吸入過熱度（ＳＨ：スーパーヒート）を監視し、吸入過熱度が目標過熱度となるように膨張弁１４０の開度を制御し、冷凍サイクルが安定するまで運転することが好ましい。これは、吸入過熱度がとれていない状態が所定時間続いた場合には、液バックを起こすおそれがあるためである。
【００３８】
〔ポンプダウン運転による冷媒回収〕
ポンプダウン運転は、ステップＳＴ２、ＳＴ３に示すように、圧縮機１１０を駆動した状態で、液側接続弁ＬＶを閉鎖、ガス側接続弁ＧＶを開、膨張弁１４０を全開、電磁弁１１３，１６１を閉鎖して行われる。このポンプダウン運転中、制御部１８０は、高圧圧力センサ１７３の検出値が目標高圧に追随するように、室外機ファン１３１の回転数を制御する。
【００３９】
これにより、室外機１００（主に室外熱交換器１３０）に冷媒が封入されるが、制御部１８０は、次段のステップＳＴ４で、上記ポンプダウン運転により低圧圧力センサ１７４の検出値が０Ｍｐａ（室内機２００側に冷媒がほとんどなくなった状態）になったかどうかを判定する。
【００４０】
ステップＳＴ４での判定がＹＥＳで、低圧圧力センサ１７４の検出値が０Ｍｐａになったら、制御部１８０は、例えば図示しない表示部にポンプダウン運転による冷媒回収の終了を意味する表示を行う。作業者は、その表示を見てガス側接続弁ＧＶを閉鎖し（ステップＳＴ５）、ポンプダウン運転を停止する。なお、作業者が低圧配管用圧力センサ１７４のメータを監視し、そのメータ表示が０Ｍｐａになったならば、ポンプダウン運転による冷媒回収終了と判断することもできる。
【００４１】
ステップＳＴ４での判定がＮＯである場合、制御部１８０は、引き続きステップＳＴ６で、室外機ファン１３１の回転数制御により高圧圧力センサ１７３の検出値が目標高圧に追随し得なくなったかどうか、すなわち、「室外機ファン１３１の回転数が最大回転数」で、かつ、「高圧（高圧圧力センサ１７３が示す圧力）＞目標高圧」であるかどうかを判定する。
【００４２】
ステップＳＴ６での判定がＮＯで、室外機ファン１３１の回転数制御により高圧圧力センサ１７３の検出値が目標高圧に追随可能である、すなわち、室外機ファン１３１の回転数が最大回転数以下で、高圧が目標高圧に制御できる場合には、ステップＳＴ４の判定を繰り返し行い、上記室外機ファン１３１の回転数制御により、低圧圧力センサ１７４の検出値が０Ｍｐａになったら、ステップＳＴ５に移行する。
【００４３】
〔冷媒回収手段による回収運転〕
これに対して、ステップＳＴ６での判定がＹＥＳ判定の場合、制御部１８０は、ポンプダウン不可能と判断し、ステップＳＴ７で、室外機１００内に封入しきれない冷媒を冷媒回収手段３００の空きボンベ３２０に回収する運転に切り替える。
【００４４】
この冷媒回収手段による回収運転は、ステップＳＴ８に示すように、膨張弁１４０を全開とした状態で、電磁弁１１３，１６１をともに開とする。なお、室外機ファン１３１の回転数は、例えば最大回転数に固定する。
【００４５】
これにより、室外機１００内に封入しきれない冷媒が、冷媒回収手段３００により回収されるが、電磁弁１１３が開で、バイパス回路１１４により高圧側配管１１１と低圧側配管１１２とが連通し、圧縮機１１０より吐出された冷媒の一部が圧縮機１１０の吸入側に戻されることから、圧縮機１１０の正常運転が確保され、冷媒は室外機１００内を循環する。
【００４６】
そして、ステップＳＴ９で、冷媒回収手段による回収運転の開始から一定時間が経過したかの経過時間判定と、冷媒回収手段による回収運転中に、高圧圧力センサ１７３の検出値が低下（例えば、０．５Ｍｐａ程度低下）したかの圧力低下判定とを行う。なお、一定時間が経過せず、その間に圧力も低下しない場合には、判定をＮＯとしてＹＥＳになるまで待つ。また、ＹＥＳの際は、電磁弁１６１を開いた直後は、高圧が低下するため、電磁弁１６１を開いてから所定時間経過後に判定を行うことが好ましい。
【００４７】
ステップＳＴ９における経過時間判定で、高圧圧力センサ１７３の検出値が低下することなく、冷媒回収手段による回収運転の開始から一定時間が経過した場合（ステップＳＴ９での判定がＹＥＳ）には、ステップＳＴ３に戻り、膨張弁１４０を全開とした状態で、電磁弁１１３，１６１をともに一旦閉じて、高圧圧力センサ１７３の検出値が目標高圧に追随するように室外機ファン１３１の回転数が制御される。
【００４８】
そして、ステップＳＴ４で、再び低圧圧力センサ１７４の検出値が０Ｍｐａになったかどうかの判定が行われ、低圧圧力センサ１７４の検出値が０Ｍｐａになったら、ステップＳＴ５に移行し、ガス側接続弁ＧＶを閉鎖するとともに、電磁弁１１３，１６１を閉じてポンプダウン運転を停止する。なお、冷媒回収機３１０にて回収された冷媒量は、冷媒回収ボンベ３２０の重さを量り３２１で計量することにより算出することができる。
【００４９】
ステップＳＴ４での判定が依然としてＮＯで、所定時間経過しても低圧圧力センサ１７４の検出値が０Ｍｐａにならない場合には、ステップＳＴ６を経てステップＳＴ７に移行し、室外機１００内に封入しきれない冷媒を冷媒回収手段３００の空きボンベ３２０に回収する運転に切り替え、ステップＳＴ８で、膨張弁１４０を全開とした状態で、再度、電磁弁１１３，１６１をともに開とし、ステップＳＴ４での判定がＹＥＳとなるまで、これを繰り返す。
【００５０】
また、ステップＳＴ９での圧力低下判定で、冷媒回収手段による回収運転の開始から一定時間が経過するまでの間に、高圧圧力センサ１７３の検出値が低下した場合（ステップＳＴ９での判定がＹＥＳ）にも、上記経過時間判定での一定時間が経過した場合と同じく、ステップＳＴ３に戻るルーチンが実行されるが、高圧圧力センサ１７３の検出値が低下しても、室外機１００内に冷媒を過剰に回収するのを防止するため、低下した高圧を室外機ファン１３１により上げる制御は行わない。
【００５１】
上記実施形態では、冷媒回収管１６２を室外熱交換器１３０と膨張弁１４０との間の配管部位に接続するようにしているが、冷媒回収管１６２をアキュムレータ１５０と圧縮機１１０との間の低圧側配管１１２に接続するようにしてもよい。
【００５２】
また、上記したように、ポンプ的な冷媒回収機３１０を用いることなく、冷媒回収ボンベ３２０を空きボンベとして、冷媒回収ポート１６０に接続するだけで、冷媒回収ボンベ３２０に冷媒を回収することもできる。
【符号の説明】
【００５３】
１００  室外機
１１０  圧縮機
１１１  高圧側配管
１１２  低圧側配管
１１３  電磁弁（第１電磁弁）
１１４  バイパス配管
１２０  四方弁
１３０  室外熱交換器
１３１  室外機ファン
１４０  膨張弁
１５０  アキムレータ
１６０  冷媒回収ポート
１６１  電磁弁（第２電磁弁）
１６２  冷媒回収配管
１７１  外気温度センサ
１７２  低圧配管温度センサ
１７３  高圧圧力センサ
１７４  低圧圧力センサ
１８０  制御部
２００  室内機
２１０  室内熱交換器
２１１  室内ファン
２１２  室内熱交換器の配管温度センサ
３００  冷媒回収装置
３１０  冷媒回収機
３２０  冷媒回収ボンベ
ＬＶ  液側接続弁
ＧＶ  ガス側接続弁
【図１】
0005761502.tif 000002
【図２】
0005761502.tif 000003
【図３】
0005761502.tif 000004